(57)【特許請求の範囲】
【請求項１】
測定室（１０）の底面に配置されたワイヤ（１８）等を有する前記測定室（１０）が測定されるべき懸濁液で充填され、前記懸濁液が時点Ｔ０に前記ワイヤ（１８）等を通って流されるろ水度測定方法において、
前記時点Ｔ０で流れが開始した後、前記測定室（１０）内の前記懸濁液が減少する流量が、時間に関連した液体の容量の導関数として測定され、
前記懸濁液が減少する流量が予め知られた流量ｖｃに達する時点Ｔ１が調べられ、
前記時点Ｔ０から前記時点Ｔ１の間に、前記測定室（１０）から汲み出された合計容量Ｖｔｏｔａｌが決定され、
前記予め知られた流量ｖｃに基づき、前記時点Ｔ０から前記時点Ｔ１の間の流れ容量Ｖｃｆが計算され、
前記流れ容量Ｖｃｆおよび予め知られたスレッショルド容量Ｖｔｈを、前記測定室（１０）から汲み出された液体の合計容量Ｖｔｏｔａｌから減じることによって、差の結果Ｖが計算され、
前記差の結果Ｖの関数として、ろ水度が計算されることを特徴とするろ水度測定方法。
【請求項２】
前記測定室（１０）から汲み出している懸濁液の流量が、流れが前記予め知られた流量ｖｃに達するかまたはｖｃより遅くなるまで時間の関数として測定されることを特徴とする請求項１に記載のろ水度測定方法。
【請求項３】
前記懸濁液の温度が測定されかつろ水度が温度にしたがって調整されることを特徴とする請求項１に記載のろ水度測定方法。
【請求項４】
温度調整が標準表によって実施されることを特徴とする請求項３に記載のろ水度測定方法。
【請求項５】
前記懸濁液の濃度が測定されかつろ水度が濃度にしたがって調整されることを特徴とする請求項１に記載のろ水度測定方法。
【請求項６】
濃度調整が標準表にしたがって実施されることを特徴とする請求項５に記載のろ水度測定方法。
【請求項７】
前記測定室（１０）中の前記懸濁液の表面レベルを音響的に測定することにより、前記測定室（１０）からの液体の汲み出しが測定されることを特徴とする請求項１に記載のろ水度測定方法。
【請求項８】
前記測定室（１０）中の前記懸濁液の表面レベルを光学的に測定することにより、前記測定室（１０）からの液体の汲み出しが測定されることを特徴とする請求項１に記載のろ水度測定方法。
【請求項９】
前記方法においてすべての測定および結果の計算がマイクロプロセッサ制御を使用して自動的に実施されることを特徴とする請求項１に記載のろ水度測定方法。
【請求項１０】
前記流量がｖｃ＝８．８３ｍｌ／ｓであり、前記予め知られたスレッショルド容量がＶｔｈ＝２４．２ｍｌ／ｓであり、ＣＳＦ方法によるろ水度ＦＣＳＦが、ＦＣＳＦ＝Ｖにより計算されることを特徴とする請求項１に記載のろ水度測定方法。
【請求項１１】
前記流量がｖｃ＝１０００ｍｌ／（１４９ｓ±１ｓ）であり、前記予め知られているスレッショルド容量がＶｔｈ＝７．５〜８．０ｍｌであり、ＳＲ方法によるろ水度ＦＳＲが、ＦＳＲ＝（１０００ｍｌ−Ｖ）／１０により計算されることを特徴とする請求項１に記載のろ水度測定方法。
【請求項１２】
測定されるべき懸濁液が、前記ワイヤ（１８）等を通って流動させる前に予め定義された時間だけ前記測定室（１０）中に留まることを特徴とする請求項１に記載のろ水度測定方法。
【請求項１３】
前記予め定義された時間が５ｓであることを特徴とする請求項１２に記載のろ水度測定方法。
【請求項１４】
測定室（１０）を緊密に密封する頂部蓋（３４）および底面シャッタ（１６）、空気弁（１４）およびワイヤ（１８）等からなっている前記測定室（１０）を備え、測定方法の開始において、前記測定室（１０）が測定されるべき懸濁液を収容し、前記測定室（１０）底面の前記シャッタ（１６）が開放されるようになされ、測定装置が時点Ｔ０に前記ワイヤ（１８）等を通って懸濁液を流動させるように配置される、ろ水度を測定するためのろ水度測定装置において、
前記測定装置は、前記ワイヤ（１８）等を介して前記測定室（１０）から汲み出された液体の流量を、時間に関連する液体の容量の導関数として測定するための測定センサ（１２）を有し、
前記測定装置は、前記測定センサ（１２）により測定されたデータが送られる自動データ処理装置（３０）を有し、
前記自動データ処理装置（３０）が、
前記測定室（１０）から汲み出された液体の流量が予め知られた流量ｖｃに達する時点Ｔ１を調べ、
前記時点Ｔ０から前記時点Ｔ１の間に前記測定室（１０）から汲み出された液体の合計量Ｖｔｏｔａｌを計算し、
前記予め知られた流量ｖｃに基づき、前記時点Ｔ０から前記時点Ｔ１の間の流れ容量Ｖｃｆを計算し、
前記流れ容量Ｖｃｆおよび予め知られたスレッショルド容量Ｖｔｈを、前記測定室（１０）から汲み出された液体の合計容量Ｖｔｏｔａｌから減じることにより、差の結果Ｖを計算し、
前記差の結果Ｖの関数として、ろ水度を決定することを特徴とするろ水度測定装置。
【請求項１５】
前記測定装置が、前記流れが前記流量ｖｃに達するかまたはｖｃより遅くなるまで時間の関数として前記測定室（１０）から汲み出している液体の流量を測定することを特徴とする請求項１４に記載のろ水度測定装置。
【請求項１６】
前記装置が前記懸濁液の温度を測定するための温度計（３６）を備え、前記温度計（３６）が測定データを前記自動データ処理装置（３０）へ送り、前記自動データ処理装置（３０）が温度にしたがってろ水度を調整することを特徴とする請求項１４に記載のろ水度測定装置。
【請求項１７】
前記自動データ処理装置（３０）が標準表にしたがって温度に関連してろ水度を調整することを特徴とする請求項１６に記載のろ水度測定装置。
【請求項１８】
前記測定装置が前記懸濁液の濃度を測定し、かつ前記自動データ処理装置（３０）が濃度にしたがってろ水度を調整することを特徴とする請求項１４に記載のろ水度測定装置。
【請求項１９】
前記自動データ処理装置（３０）が標準表にしたがって濃度に関連してろ水度を調整することを特徴とする請求項１８に記載のろ水度測定装置。
【請求項２０】
前記測定室（１０）からの液体の汲み出しを測定するための前記測定センサ（１２）が、前記測定室（１０）中の前記懸濁液の表面レベルを音響的に測定することを特徴とする請求項１４に記載のろ水度測定装置。
【請求項２１】
前記測定室（１０）からの液体の汲み出しを測定するための前記測定センサ（１２）が、前記測定室（１０）中の前記懸濁液の表面レベルを光学的に測定することを特徴とする請求項１４に記載のろ水度測定装置。
【請求項２２】
前記流量がｖｃ＝８．８３ｍｌ／ｓであり、前記予め知られたスレッショルド容量がＶｔｈ＝２４．２ｍｌ／ｓであり、
前記自動データ処理装置（３０）が、ＣＳＦ方法によるろ水度ＦＣＳＦを、ＦＣＳＦ＝Ｖにより計算することを特徴とする請求項１４に記載のろ水度測定装置。
【請求項２３】
前記流量がｖｃ＝１０００ｍｌ／（１４９ｓ±１ｓ）であり、前記予め知られたスレッショルド容量がＶｔｈ＝７．５〜８．０ｍｌであり、
前記自動データ処理装置（３０）が、ＳＲ方法によるろ水度ＦＳＲを、ＦＳＲ＝（１０００ｍｌ−Ｖ）／１０により計算することを特徴とする請求項１４に記載のろ水度測定装置。
【請求項２４】
前記測定装置が前記時点Ｔ０において予め定義された時間後、前記ワイヤ（１８）等を通って前記懸濁液を流動させる空気弁（１４）を備えていることを特徴とする請求項１４に記載のろ水度測定装置。
【請求項２５】
前記予め定義された時間が５ｓであり、その後前記空気弁（１４）が開くことを特徴とする請求項２４に記載のろ水度測定装置。
【発明の詳細な説明】
【０００１】
【技術分野】
本発明は、底面にワイヤ等が配置された測定室に測定されるべき懸濁液を充填し、そして前記懸濁液を時点Ｔ０に前記ワイヤ等を通って流動させる、ろ水度測定方法に関する。
【０００２】
本発明は、さらに、測定室を緊密に密封する頂部蓋および底面シャッタ、空気弁およびワイヤ等を有しており、測定方法の開始において、前記測定室が測定されるべき懸濁液を収容し、前記測定室底面の前記シャッタが開放されるようになされ、測定装置が時点Ｔ０に前記ワイヤ等を通って懸濁液を流動させるようになされる、ろ水度を測定するためのろ水度測定装置に関する。
【０００３】
【背景技術】
良好な品質の紙を作るために、ペーパーストック（紙料）の特性が精密に測定されかつ制御されねばならない。ペーパーストックのろ水度を測定することにおいて、ペーパーストックが水から分離され得る速度は経験的に決定される。ろ水度は、繊維、ストック処理（例えば、機械的／化学的）、細粒の品質、温度、濃度（コンシスティンシー）、および測定装置のごとき、幾つかの要因に依存している。
【０００４】
ろ水度を測定するための最も一般的な方法の１つはＣＳＦ（カナディアン・スタンダード・フリーネス）である。この測定方法は標準でありそして参考として本書に組み込まれている、１９８５年、ＴＡＰＰＩ、発表Ｔ２２７ｏｍ−８５、パルプのろ水度、に詳細に開示された。ＣＳＦ測定において、ペーパーストックのろ水度は０．３％の濃度および２０°Ｃの温度を有するサンプルから測定される。サンプルの濃度または温度が指定された値から異なるならば、ろ水度の結果は、測定が指定された濃度および温度に対応するように予め定義された表の値にしたがって調整される。ＣＳＦ測定の開始において、正確に、サンプルの１リットルが、タンクの壁、壁の頂部部分に対して閉じる頂部蓋、タンクの底部のワイヤ、壁の底部に対して閉じる底部蓋、および空気弁からなっている測定タンク内に測定される。底部蓋は開かれそしてサンプルはいくらかのストックがタンクの底部のワイヤ上に下りるようにタンク内に沈殿させられる。底部蓋の開放からおよそ５ｓ（秒）後、空気弁は、水がワイヤを通ったストックサンプルおよびワイヤ上に堆積されたストックから分離し始めるように開かれる。漏斗の底部での一定の流れ噴出口および漏斗の底部分の横方向管からなっている漏斗に流れる。一定容量（２４．２ｍｌ）が一定の流れ噴出口（一定の流れ８．８３ｍｌ／ｓ）と横方向管との間の漏斗に残っている。水が測定タンクから漏斗に流れるとき、水の１部分は一定の流れ噴出口を通って流出し、水の一定容量（２４．２ｍｌ）が一定の流れ噴出口と横方向管との間に集まりそして最後に幾らかの水が横方向管を通って流出する。ろ水度の測定において、横方向管を通って流出したこの水の容量は測定グラスにおいて測定されかつこの水の容量はろ水度に対応する。測定は通常手で行われる。本測定方法は困難でありかつ温度および濃度の変化に感応し易い。本測定方法は、また、低いＣＳＦ値において不正確である。
【０００５】
ろ水度を定義するための他の公知の方法は、参考として本書に組み込まれる、１９６４年に認可された、試験委員会、スカンジナビアン・パルプ、ペーパー・アンド・ボードの刊行物ＳＣＡＮ−Ｃ１９：６５に開示されたショッパー・リーグラー方法である。この標準の方法によれば、公知の品質のペーパーストックが予め定義された時間周期（５ｓ）後開放されるスプレッダコーン（拡散用円錐状体）に注入され、ストックは底部および側部に開口を有する漏斗にワイヤおよびワイヤ上に堆積する繊維からなるマットを通して濾過される。水は一定の流量〔１０００ｍｌ／（１４９ｓ±１）が６．７１ｍｌ／ｓにほぼ等しい〕で底部開口を通って流出する。一定容量（７．５ｍｌ〜８．０ｍｌ）が底部開口と側部開口との間に残っている。側部開口を通って流れている水の容量は、０ｍｌが１００ＳＲ単位に対応し、１０００ｍｌが０ＳＲ単位に対応しかつしたがって１ＳＲ単位が１０ｍｌに対応するようにＳＲ単位で測定されたろ水度に対応している。ＳＲおよびＣＳＦ尺度は相対的な逆にされる、すなわち、最も高いＳＲ値は最も低いＣＳＦ値に対応する。この測定は、また、通常手で行われる。本測定方法は困難でかつ温度および濃度の変化に感応し易い。ＳＲ測定方法は、また、極端な値において不正確である。
【０００６】
参考として本書に組み込まれる、アメリカ合衆国特許明細書第２，６０２，３２５号は、ろ水度が予め定義された液体の容量が測定室中の懸濁液から分離するとき経過する時間を測定することにより決定される、ＣＳＦ測定と同様なろ水度を測定するための方法を開示している。代替的に、予め定義された時間の間中測定室内の懸濁液から分離する液体の容量を測定することができる。この解決は遅くかつ人的エラーを受け易い欠点を提供する。
【０００７】
ろ水度は、また、原理においてＣＳＦ測定に類似するが、真空を使用する自動化された測定装置により測定され得る。測定装置のサンプリング装置がペーパーストックのサンプルを採り、そして水が、その濃度がおよそ３％になるようにサンプルに添加される。サンプルの温度が測定されかつサンプルが５秒だけワイヤ上に下がりかつ沈殿させられる。この後、水は真空を使用してワイヤを通ってタンクから汲み出される。一定の時間周期後、ワイヤ上に堆積されたケーキ（沈殿物）によって発生された圧力差が測定される。圧力差が測定された後、ペーパーストックの濃度がケーキの塊りを使用して測定される。ろ水度は圧力差から測定され得る。この測定方法の欠点は、パターン作成（キャリブレーション）が、装置が各ストックの型に関して個別にキャリブレーションされねばならないため、困難でかつ難しい。
【０００８】
参考として本書に組み込まれる、フィンランド特許明細書第８０，３４２号は、また、パルプの乾燥材料、ろ水度およびワイヤ保持を定義するための自動化方法および装置を開示している。ろ水度の測定は時間の関数として測定室内の懸濁液の液体レベルを測定することに基づいている。汲み出し量は乾燥材料のケーキの塊りの関数として形成される。測定はろ水度の結果の誤差を回避するために精密な秤量機を必要とする。秤量機は、また、装置の製造コストを増加する。
【０００９】
参考として本書に組み込まれる、フィンランド特許第５１，１３３号は、加圧された水をストックの層を通して向けかつ一定の時間周期の間中流動する水の容量によってろ水度の抵抗を決定することによりろ水度を測定する他の自動化方法および装置を開示している。この測定方法の欠点は、また、装置が各ストックの型に関して個別にキャリブレーションされねばならないため、困難でかつ難しい。加圧された測定は標準の測定と異なりかつ結果はしたがって比較に値しない。
【００１０】
【発明の開示】
本発明の目的は、方法およびこの方法を実行する装置を提供することにより上述した問題を解決することにある。この目的は、導入部に記載されたろ水度測定方法において、流れが時点Ｔ０で開始するとき、測定室内の懸濁液の減少を時間の関数として測定し、懸濁液の減少が予め知られた流量ｖｃに略対応するようになる時点Ｔ１を調べ、そしてろ水度Ｆを前記時点Ｔ１によって前記測定室から汲み出された懸濁液の容量の関数として計算することを特徴とする方法によって達成される。
【００１１】
本発明の測定装置は、ワイヤ等を介して測定室からの液体の汲み出しを時間の関数として測定するための測定センサを有し、前記センサがその測定データを測定装置に送るようになされる自動データ出口処理装置を有し、前記自動データ装置が、前記測定室からの液体の汲み出しが予め知られた流量ｖｃに略対応するようになる時点Ｔ１を調べるようになされ、そして前記自動データ処理装置が前記時点Ｔ１によって前記測定室から汲み出された懸濁液の容量の関数としてろ水度Ｆを決定するようになされていることによって特徴付けられる。
【００１２】
本発明の方法および装置は幾つかの利点を提供する。ろ水度の測定は、より迅速に、より正確にかつ簡単になる。測定はキャリブレーションを必要とせずかつ測定装置は測定に使用されるストックの型に設定される必要がない。さらに、反復性は、測定に伴われる人的要因が最小にされ得るため、向上する。本発明の測定装置は、また、安価でかつ利用するのに迅速である。
【００１３】
以下で、本発明を好適な実施例に関連してかつ添付図面を参照してより詳細に説明する。
【００１４】
【発明を実施するための最良の形態】
まず、簡単に、本発明の方法を検討する。本発明の解決において、測定室内の液体の容量が時点（タイムインスタント）Ｔ０からの時間の関数として監視される。ワイヤを介して測定室から汲み出している液体の流量に対応する、時間に関連する液体の容量の導関数が時点Ｔ１において予め定義された値ｖｃに達するとき、それまで、すなわち、Ｔ１とＴ０の間に測定室から汲み出された液体の合計容量Ｖｔｏｔａｌが計算される。一定の流れ噴出口を通って同一の時間Ｔ０〜Ｔ１の間に対応して汲み出した容量Ｖｃｆ、すなわち、Ｖｃｆ ＝ｖｃ ＊（Ｔ１−Ｔ０）が合計容量Ｖｔｏｔａｌから減じられる。ＣＳＦ方法において、一定の流れｖｃは８．８３ｍｌ／ｓでありそしてＳＲ方法において、ｖｃ は６．７１ｍｌ／ｓ、すなわち、より詳しくは、ＴＶＣ が１４９ｓ±１ｓである場合に１０００ｍｌ／Ｔｖｃ である。加えて、下方漏斗の一定の流れ噴出口と横方向管との間のスレッショルド容量Ｖｔｈに対応する、一定容量は合計容量から減じられる。ＣＳＦ方法において、スレッショルド容量Ｖｔｈ＝２４．２ｍｌ、そしてＳＲ方法において、それはＶｔｈ ＝７．５〜８．０ｍｌである。かくして、本発明の方法によれば、ろ水度Ｆは差Ｖ＝Ｖｔｏｔａｌ−Ｖｃｆ−Ｖｔｈの関数であり、すなわち、ＣＳＦおよびＳＲ標準測定に対応するＦ＝ｆ（Ｖ）である。ＣＳＦの結果は直接かつ実質上差の結果Ｖに対応する、すなわち、Ｆ＝Ｖである。ろ水度Ｆの計算において、しかしながら、また、実際の経験に基礎を置いた他の幾つかの適宜な関数を使用することもできる。ＳＲ方法において、ＳＲ尺度はＣＳＦ方法におけるより異なった方向に増加し、それはＳＲ方法におけるろ水度Ｆがほぼ直接Ｆ＝（１０００ｍｌ−Ｖ）／１０または実際の経験に基づいた幾つかの他の適宜な関数であることを意味している。ＳＲおよびＣＳＦ方法の間の従属関係は、例えば、懸濁液がワイヤを介して流動させられるとき種々のワイヤおよび空気コックにより非直線的である。本発明の方法において、もちろん、一定の流れｖｃおよびスレッショルド容量Ｖｔｈに関するあらゆる所定の値を自由に選択することができる。
【００１５】
次に図１を使用して本発明の方法を検討しよう。本発明の方法を実行する本発明の測定装置は、測定室１０を緊密に密封する頂部蓋３４および底面シャッタ１６、空気弁１４を有する測定室１０を備えている。測定室１０は支持構造４０に取着される。測定が開始されるとき、測定室１０は測定されるべき懸濁液で充填される。充填はレバー３２により頂部蓋３４を開放しかつ次いで測定室１０に懸濁液を注入することにより手で、または管２２を介して自動的に行われることも可能である。手動の充填は工業的方法においては推奨されず、したがって頂部蓋の手動開放機構は必須ではない。充填が管２２を介して実施されるとき、例えば、マイクロプロセッサを備えたコンピュータである自動データ処理装置３０が弁２６を開きかつ懸濁液が測定室１０内に流動し始める。測定室１０が一杯になると、底部蓋１６が開放機構２０によって開放される。底部蓋１６が開いた後、空気弁１４が時点Ｔ０において予め定義された遅延、通常５ｓ後開放される。底部蓋１６を開放し、遅延を測定しそして空気弁１４の開放を制御することは自動データ処理装置３０によって精密に実施される。測定装置は、空気弁が開放された後測定室からの液体の汲み出しを時間の関数として測定するための測定手段１２を備えている。液体は、ワイヤまたは孔あきプレート１８上に懸濁液中の固形物質を残してワイヤまたは孔あきプレート１８を通って流れる。液体の流出量は、例えば、光学または超音波送信機−受信機対からなっているセンサ１２によって測定される。センサ１２は自動データ処理装置３０に接続されている。測定は、例えば、光学または音響送信機が、信号が光学または音響受信機に反射される、懸濁液の表面に向かって測定信号を送信するように実施される。送信機および受信機の位置および送信機から受信機への信号の走行時間が既知であるとき、表面のレベルを特定することができる。センサ１２は流量を特定する自動データ処理装置３０へ信号走行時間の測定データを送給する。自動データ処理装置３０は本発明の方法により集められたデータからろ水度Ｆを決定する。
【００１６】
次に、測定室１０からの液体の汲み出しを説明している２本の曲線を示す図２を使用して本発明の方法を検討する。上方の曲線の場合において、液体は下方の曲線（点線で記されている）の場合におけるより測定室１０からよりゆっくり流れる。上方の曲線はその曲線から汲み出された液体の合計容量Ｖｔｏｔａｌ、一定の流れで流出している容量Ｖｃｆ、ＣＳＦ方法によるろ水度Ｆおよび液体が以前に知られた一定流量で測定室から流れ出ている時点Ｔ１をどのように読むかを示している。直線の傾斜、すなわち、時点Ｔ１の位置での曲線の接線として示される曲線の導関数は一定の流れｖｃに対応している。代表的には、測定室１０は１０００ｍｌの容量を有しているが、測定室１０の容量は本発明の解決に関して必須ではない。自動データ処理装置３０は、測定データを基礎にして、測定室１０からの液体の流出量がろ水度のＣＳＦ標準測定において好ましくは使用される下方漏斗の一定の流れ噴出口の一定の流れ８．８３ｍｌ／ｓである（ＳＲ方法において、一定の流れはおよそ６．７１ｍｌ／ｓである）時点Ｔ１を調べる。ＣＳＦ標準測定において、液体の８．８３ｍｌ／ｓ（ＳＲ方法においては、６．７１ｍｌ／ｓ）またはそれ以下がワイヤを介して流れるとき、液体は、もはや、下方漏斗の横方向管からろ水度を測定する測定容器へ流れないが、液体は一定の流れ噴出口を通って流れ出る。ろ水度を測定するために、自動データ処理装置３０は、本発明の解決において、空気弁が時点Ｔ０で開放された時から時点Ｔ１へ測定室１０から汲み出された液体の合計容量Ｖｔｏｔａｌを決定する。自動データ処理装置３０は、また、一定の流れがＶｃｆ＝ｖｃ＊（Ｔ１−Ｔ０）であるように時点Ｔ０から時点Ｔ１への一定の流れ容量Ｖｃｆを計算する。ＣＳＦ標準方法において、一定の流れ容量Ｖｃｆは一定の流れ噴出口を通って流れる液体の容量に対応する。自動データ処理装置３０は測定室１０から汲み出された液体の合計容量Ｖｔｏｔａｌから一定の流れ容量Ｖｃｆおよび予め知られたスレッショルド容量Ｖｔｈを減じることにより懸濁液のろ水度Ｆを計算する。例えば、ＣＳＦ方法のろ水度Ｆは差の結果Ｖ＝Ｆ＝Ｖｔｏｔａｌ−Ｖｃｆ−Ｖｔｈ に直接かつ実質上対応している。本発明の方法はＣＳＦ標準およびＳＲ標準の両方にしたがってろ水度を測定するのに適する。測定が実施されたとき、測定室は、例えば、そのシャッタ２８が開放されるとき管２４を介して加圧水により洗浄され得る。シャッタ２８の開放は、好ましくは、本発明の解決において、また、温度計３６により懸濁液の温度を測定する、データ処理装置３０によって制御される。データ処理装置は、また、好ましくは、懸濁液の濃度を測定する。測定室内で測定されている懸濁液の濃度および温度はデータ処理装置３０によって制御されている。濃度は、好ましくは、０．３％そして温度は２０°Ｃである。温度および濃度が特定された値から異なるとき、データ処理装置３０はＣＳＦ標準表（テーブル）に対応してろ水度の結果を修正する。データ処理装置３０は方法のデータネットワークまたは制御装置に接続されるかまたは一体にされる。
【００１７】
図３は垂直軸で本発明の測定装置により測定されたろ水度の結果Ｆおよび水平軸でＣＳＦ標準によるろ水度の結果ＣＳＦを示している。ろ水度は５０ないし６５０の間で広範囲に測定された。結果の相関関係はほとんど正確に１である、すなわち、本発明の解決はＣＳＦ標準測定に非常に密接して対応するろ水度の結果を生じている。事実、結果の小さな差異はＣＳＦ標準測定における誤差によって発生される。ＣＳＦ標準測定は手で実施されるので、小さな誤差は、例えば、測定時間（５ｓ）、底部蓋の開放および測定結果の読み取りにおいて容易に発生し、これに反して、本発明の測定は完全に自動化されかつ同一方法で何時でも正確に実施される。
【００１８】
本発明は本書で添付図面にしたがって例として記載されているが、本発明はそれに限定されず、しかも本発明が請求の範囲に開示された本発明の概念の範囲内で種々の方法において変更され得ることは自明である。
【図面の簡単な説明】
【図１】本発明の方法を示す図である。
【図２】本発明の測定装置を示す図である。
【図３】標準測定方法に関連して本発明のろ水度測定方法を示す図である。
【図１】
0004595057.tif 000002
【図２】
0004595057.tif 000003
【図３】
0004595057.tif 000004